(57)【要約】      （修正有）【課題】出射光の対応する光照射領域内において、幅方向上の照度分布を均一とすることができる導光装置を提供する。【解決手段】この導光装置１００は、端部に位置する入光面１０と、柱体側面に位置する出射面２０と出光面３０を具え、出光面と出射面は対向し、出射面に外向きに突出する複数のストリップ状の出射調整部２３が設けられ、出射調整部は表面面積が内から外に漸次拡大する均光調整部２３１を具えている。本導光装置は表面面積が内から外に漸次拡大する均光調整部により、周知の技術中の、光線が比較的強い領域の光線を、光線が比較的弱い領域へと分散し、これにより対応する照射領域の、導光装置の幅方向上の照度分布をより均一とすることができる。【選択図】図３
0003161643.tif 000002
【実用新案登録請求の範囲】
【請求項１】
導光装置において、柱体状を呈し、端部に位置する入光面と、柱体側面に位置する出射面と出光面を具え、該出光面と該出射面は対向し、該出射面に外向きに突出する複数のストリップ状の出射調整部が設けられ、該出射調整部は表面面積が内から外に漸次拡大する均光調整部を具えたことを特徴とする導光装置。
【請求項２】
請求項１記載の導光装置において、該均光調整部の横断面が二等辺三角形状とされたことを特徴とする導光装置。
【請求項３】
請求項１記載の導光装置において、該出光面が円弧面状を呈することを特徴とする導光装置。
【請求項４】
請求項１記載の導光装置において、該出光面と該出射面の間を平面状の反射面が連接したことを特徴とする導光装置。
【考案の詳細な説明】
【技術分野】
【０００１】
本考案は一種の導光装置に係り、特に、出射光分布を均一とすることができる導光装置に関する。
【背景技術】
【０００２】
科学技術の発展に伴い、導光装置の現実の生活上での応用はますます広がり、例えば液晶ディスプレイ、スキャナ、プロジェクタには通常、導光装置が使用されている。導光装置は常に特定の調光構造を設置することにより、出射光線の均一性と方向性を調整している。
【０００３】
図１に示されるように、周知の導光装置１００’は柱体状を呈し、それは導光装置の端部に設けられた入光面１０’と、導光装置の側面に設けられた出射面２０’と出光面３０’を具えている。出光面３０’と出射面２０’は対向する。該導光装置１００’は出射面２０’の光反射効率を高めるために、出射面２０’に複数の、外向きに突出するストリップ状の出射調整部２３’が設けられ、出射調整部２３’の断面は、ほぼ二等辺三角形状とされる。
【０００４】
上述の導光装置は、出射面２０’の出射調整部２３’のピッチ或いは三角形の大きさを調整することにより、導光装置のＸ’方向（長さ方向、すなわち光学方向）上の出光均一度を増加することができるが、Ｙ’方向（幅方向、すなわち導光装置の運動方向）上の出光強度分布は却って非常に不均一となる。図２に示されるのは、スキャナの発光モジュールに応用された状態において、導光装置１００’の照射に対応する照射領域内におけるＹ’方向上の照度強度分布図であり、図からわかるように、その出射光のＹ’方向上の照度は非常に不均一である。
【考案の概要】
【考案が解決しようとする課題】
【０００５】
本考案の目的は、上述の技術中の不足を克服する一種の導光装置を提供することにあり、該導光装置は出射光の対応する光照射領域内において、幅方向上の照度分布を均一とすることができるものとする。
【課題を解決するための手段】
【０００６】
上述の目的を達成するため、本考案の提供する導光装置は柱体状を呈し、それは、端部に位置する入光面と、柱体側面に位置する出射面と出光面を具え、出光面と出射面は対向し、出射面に外向きに突出する複数のストリップ状の出射調整部が設けられ、出射調整部は表面面積が内から外に漸次拡大する均光調整部を具えている。
【考案の効果】
【０００７】
以上に述べたように、本考案の導光装置は、表面面積が内から外に漸次拡大する均光調整部により、周知の技術中の、光線が比較的強い領域の光線を、光線が比較的弱い領域へと分散し、これにより対応する照射領域の、導光装置の幅方向上の照度分布をより均一とすることができる。
【図面の簡単な説明】
【０００８】
【図１】周知の導光装置の構造表示図である。
【図２】図１の導光装置の幅方向上の照度分布図である。
【図３】本考案の導光装置のある実施例の構造図である。
【図４】図３の導光装置の幅方向上の照度分布図である。
【考案を実施するための形態】
【０００９】
詳細に本考案の技術内容、構造特徴、その達成する目的及び作用効果をご理解いただくため、以下に実施例に図面を組み合わせて詳しく説明する。
【００１０】
図３を参照されたい。本考案の導光装置１００は、透光実心柱体状を呈し、該導光装置１００は柱体の端部に位置する入光面１０と、柱体側面に位置する出射面２０と該出射面２０に対向する出光面３０、及び出射面２０と出光面３０の間を連接する二つの反射面４０を具えている。そのうち、出光面３０は円弧面状を呈し、それは対応する光照射領域に集光するのに用いられ、すなわち、導光装置内部に向けて光を反射する機能を有する。
【００１１】
上述の出射面２０に外向きに突出しＸ方向（長さ方向、すなわち光学方向）に沿って離間配列された複数の出射調整部２３が設けられている。出射調整部２３はＹ方向（幅方向、すなわち導光装置の運動方向）に沿って延伸されたストライプ状を呈する。出射調整部２３は二つの、表面面積が内から外に漸次拡大し且つ横断面がほぼ二等辺三角形を呈する均光調整部２３１を具え、均光調整部２３１はその横断面の面積が内から外に漸次拡大する。Ｘ、Ｙに垂直な方向（すなわちＺ方向）の視角から見て、単一の均光調整部２３１は二つの台形を並列に配列して構成される。
【００１２】
光源（図示せず）が柱体端部の入光面１０より導光装置１００に進入すると、反射面４０及び一部の出光面３０と出射面２０の表面により、ほとんどの光線は、導光装置１００内に向けて全反射され、入光面１０の別端に向けて前進する。光線が出射調整部２３の表面にいたると、光線は出射調整部２３の表面の角度設計により出光面３０に向けて前進し、その後、出光面３０より対応する光照射領域に集光される。
【００１３】
図４を参照されたい。それは本考案のスキャナの発光モジュールへの応用を示し、本考案の導光装置１００の、走査運動方向（幅方向）の対応光照射領域の照度分布を示している。図からわかるように、本考案の導光装置１００は対応光照射領域において導光装置の幅方向上の照度分布がより均一とされている。
【００１４】
総合すると、本考案の導光装置は表面面積が内から外に漸次拡大する均光調整部２３１により、周知の技術中の、光線が比較的強い領域の光線を、光線が比較的弱い領域へと分散し、これにより対応する照射領域の、導光装置の幅方向上の照度分布をより均一とすることができる。
【００１５】
本考案の保護範囲は上述の具体的実施例に限定されるわけではなく、その他の多くの異なる変化を有し得て、これらの変化はいずれも本考案の実用新案登録請求の範囲の保護範囲に属する。たとえば、出射調整部は一つから複数の均光調整部を有し得る。均光調整部の横断面は、非二等辺三角形状或いはその他の形状とされ得る。出射調整部の柱体延伸方向上の配列密度は一端より別端に向けて漸次増加可能である。出射調整部の延伸方向と柱体延伸方向は傾斜状に相互に交叉してもよい。
【符号の説明】
【００１６】
１００  導光装置                    １０  入光面
２０  出射面                        ２３  出射調整部
２３１  均光調整部                  ３０  出光面
４０  反射面
【図１】
0003161643.tif 000003
【図２】
0003161643.tif 000004
【図３】
0003161643.tif 000005
【図４】
0003161643.tif 000006